(57)【特許請求の範囲】
【請求項１】
読取対象の原稿が載置されるコンタクトガラスと、
前記コンタクトガラスを支持する箱形のフレームと、
主走査方向に延びた読取機構を有し、前記フレーム内の前記コンタクトガラスの原稿が載置される上面とは反対側の下面側において副走査方向に往復移動するキャリッジと、
幅方向が主走査方向に一致するように前記キャリッジの一側面に接続され、当該接続された箇所から先の部分がＵ字状に湾曲して前記キャリッジの下方へ回り込むものとして配設された、前記読取機構の電気信号を伝送するフレキシブルフラットケーブルと、
前記キャリッジよりも遅い速度で前記キャリッジに追従して副走査方向に往復移動しながら、前記キャリッジの移動に伴って移動する前記フレキシブルフラットケーブルのＵ字状の湾曲部をガイドして前記コンタクトガラスへの接触を回避させるケーブルガイドユニットと、
副走査方向の始端と終端との間を無端走行して前記キャリッジを副走査方向に往復運動させるタイミングベルトとを備え、
前記タイミングベルトの外周及び内周に異なる歯数の歯が配設されており、
前記ケーブルガイドユニットが、前記タイミングベルトの外周及び内周の歯に噛合して前記タイミングベルトの走行速度よりも遅い速度で前記ケーブルガイドユニットを副走査方向に移動させるギア機構を有する画像読取装置。
【請求項２】
前記ケーブルガイドユニットが主走査方向に延びるスリットを有しており、
前記フレキシブルフラットケーブルのＵ字状の湾曲部が前記スリットに挿通されており、
前記ケーブルガイドユニットが前記キャリッジの移動速度の半分の速度で移動する請求項１に記載の画像読取装置。
【請求項３】
前記ケーブルガイドユニットが前記フレキシブルフラットケーブルのＵ字状の湾曲部と前記コンタクトガラスとの間に介在する請求項１に記載の画像読取装置。
【請求項４】
前記フレキシブルフラットケーブルは、前記キャリッジの一側面に一端部が接続され、当該一端部を起点として前記キャリッジから離れる方向に延びてＵ字状に湾曲して方向を反転させて前記キャリッジの下方へ回り込む状態で延び、更に、前記Ｕ字状に湾曲する位置とは前記キャリッジを挟んで反対側となる位置で折りたたまれた状態で更に方向を反転させて、他端部が、画像読み取り動作を制御する制御部に接続されている請求項１乃至請求項３のいずれかに記載の画像読取装置。
【発明の詳細な説明】
【技術分野】
【０００１】
本発明は、画像読取装置に関し、特に、コンタクトガラスの汚れ等の発生を防止する技術に関する。
【背景技術】
【０００２】
原稿の画像を光学的に読み取る画像読取装置として、主走査方向に延びた読取機構部を有するキャリッジ（スキャナーユニット）を副走査方向に往復移動させることで、コンタクトガラスに載置された原稿の画像を読み取るＣＩＳ方式の画像読取装置がある。
【０００３】
ＣＩＳ方式の画像読取装置において、折り曲がりに強いフレキシブルフラットケーブル（ＦＦＣ）がキャリッジ接続されており、当該ＦＦＣを通じて、キャリッジに搭載された読取機構と装置本体との間で通信が行われる。ＦＦＣは、幅方向が主走査方向に一致するようにキャリッジの一側面に接続され、当該接続された箇所から先の部分が略Ｕ字状に湾曲してキャリッジの下方へ回り込むように配設されている。このようにＦＦＣを配設することにより、キャリッジの往復移動時には、ＦＦＣの任意の箇所が移動に応じて湾曲することで、画像読取動作に支障しないようになっている。
【０００４】
ここで、ＦＦＣは、キャリッジの往復移動に応じて変形してコンタクトガラスに接触する場合がある。ＦＦＣがコンタクトガラスに接触すると、コンタクトガラスが汚れるおそれがある。また、ＦＦＣが静電気によりコンタクトガラスに貼り付くと、キャリッジ移動時のトルク変動を誘発して、画像読取異常が発生するおそれがある。
【０００５】
このようなＦＦＣとコンタクトガラスとの接触を防止するための技術として、下記特許文献１には、ＦＦＣの変形によりその高さが最大になるときに、ＦＦＣが収まる凹部をフレーム内に形成することが開示されている。
【先行技術文献】
【特許文献】
【０００６】
【特許文献１】特開２００４−１０４３９２号公報
【発明の概要】
【発明が解決しようとする課題】
【０００７】
しかしながら、特許文献１に開示される技術では、フレーム内にＦＦＣが収まる凹部を設ける必要があることから、フレームの形状が複雑になるという問題がある。
【０００８】
更に、キャリッジの延在方向の両端部に樹脂製のスライダーが凸設されており、当該スライダーがコンタクトガラスを摺動しながらキャリッジが往復移動する。このため、画像読取動作を繰り返すに従ってスライダーの表面が摩耗することで、スライダーとコンタクトガラスとの接触面積が増大して摩擦係数が上昇する。この結果、キャリッジを往復移動させるモーターへのトルク負荷が増大し、また、スライダーとコンタクトガラスとの接触部から異音が発生するという問題がある。この問題を解決するためにコンタクトガラスにグリス等の潤滑剤を塗布すると、組立時に潤滑剤が他の部品に付着したり、潤滑剤の塗りむらによる摩擦係数がばらつくといった別の問題が生じてしまう。
【０００９】
本発明は、上記の事情に鑑みなされたものであり、ＦＦＣがコンタクトガラスに接触することによるコンタクトガラスの汚れ等の発生を防止することを目的とする。
【課題を解決するための手段】
【００１０】
本発明の一局面に係る画像読取装置は、読取対象の原稿が載置されるコンタクトガラスと、前記コンタクトガラスを支持する箱形のフレームと、主走査方向に延びた読取機構及び前記読取機構の延在方向の両端部に凸設された樹脂製のスライダーを有し、前記スライダーが前記フレーム内の前記コンタクトガラスの原稿が載置される上面とは反対側の下面を摺動しながら、前記コンタクトガラスの下面側において副走査方向に往復移動するキャリッジと、幅方向が主走査方向に一致するように前記キャリッジの一側面に接続され、当該接続された箇所から先の部分がＵ字状に湾曲して前記キャリッジの下方へ回り込むものとして配設された、前記読取機構の電気信号を伝送するフレキシブルフラットケーブルとを備え、前記コンタクトガラスの下面にフッ素コーティングが施されているものである。
【００１１】
また、本発明の別の一局面に係る画像読取装置は、読取対象の原稿が載置されるコンタクトガラスと、前記コンタクトガラスを支持する箱形のフレームと、主走査方向に延びた読取機構を有し、前記フレーム内の前記コンタクトガラスの原稿が載置される上面とは反対側の下面側において副走査方向に往復移動するキャリッジと、幅方向が主走査方向に一致するように前記キャリッジの一側面に接続され、当該接続された箇所から先の部分がＵ字状に湾曲して前記キャリッジの下方へ回り込むものとして配設された、前記読取機構の電気信号を伝送するフレキシブルフラットケーブルと、前記キャリッジよりも遅い速度で前記キャリッジに追従して副走査方向に往復移動しながら、前記キャリッジの移動に伴って移動する前記フレキシブルフラットケーブルのＵ字状の湾曲部をガイドして前記コンタクトガラスへの接触を回避させるケーブルガイドユニットと、を備えたものである。
【発明の効果】
【００１２】
本発明によれば、ＦＦＣがコンタクトガラスに接触することによるコンタクトガラスの汚れ等の発生を防止することができる。
【図面の簡単な説明】
【００１３】
【図１】本発明の一実施形態に係る画像読取装置を備えた画像形成装置を示す斜視図である。
【図２】本発明の一実施形態に係る画像読取装置を示す斜視図である。
【図３】本発明の一実施形態に係る画像読取装置のスキャナーを示す斜視図である。
【図４】キャリッジの一端部の拡大斜視図である。
【図５】キャリッジ、ＦＦＣ、及びコンタクトガラスの断面図である。
【図６】フッ素コーティングが施されたコンタクトガラスの平面図である。
【図７】一例に係るケーブルガイドユニット、キャリッジ、ＦＦＣ、及びコンタクトガラスの断面図である。
【図８】別例に係るケーブルガイドユニット、キャリッジ、ＦＦＣ、及びコンタクトガラスの断面図である。
【図９Ａ】キャリッジ及びケーブルガイドユニットがホームポジションにあるときの画像読取装置内部の平面図である。
【図９Ｂ】キャリッジ及びケーブルガイドユニットが移動中の画像読取装置内部の平面図である。
【図１０Ａ】ギア機構を備えたケーブルガイドユニットの副走査方向から見た側面図である。
【図１０Ｂ】図１０Ａのケーブルガイドユニットの底面図である。
【図１１】キャリッジ及びケーブルガイドユニットをそれぞれ往復移動させる２つのタイミングベルトを備えた画像読取装置内部の平面図である。
【図１２】図１１の２つのタイミングベルトとモーターとの連結部分を示す図である。
【発明を実施するための形態】
【００１４】
以下、本発明の一実施形態に係る画像読取装置について図面を参照して説明する。なお、画像読取装置の左右方向をＸ方向、前後方向をＹ方向、上下方向をＺ方向とし、各図においてＸ，Ｙ，Ｚの３軸を註記している。
【００１５】
図１は、本発明の一実施形態に係る画像読取装置を備えた画像形成装置を示す斜視図である。図１に示すように、画像形成装置１は、装置本体１０と、装置本体１０の上方に配置された画像読取装置２０と、画像読取装置２０の上方に配置された原稿搬送装置３０とから概略構成される。
【００１６】
装置本体１０の外郭を構成する筐体１１の内部には、図略の画像形成部等が収容されている。画像形成部は、図略の感光体ドラム、帯電装置、露光装置、及び現像装置等を備え、帯電、露光、現像の工程により、感光体ドラムに画像読取装置２０が読み取った原稿のトナー画像を形成する。その後、画像形成部は、当該トナー像を記録紙に転写して定着処理を施した記録紙を排出トレイ１２に排出する。
【００１７】
装置本体１０の筐体１１の前面には、操作部１３が配置されている。操作部１３は、画像読取ジョブの実行を指示するためのスタートキー等の複数の操作キー１４と、液晶ディスプレイ（ＬＣＤ：Liquid Crystal Display）や有機ＥＬ（ＯＬＥＤ：Organic Light-Emitting Diode）ディスプレイを含んで構成される表示部１５とを備えている。
【００１８】
原稿搬送装置３０は、原稿載置台３１に載置された原稿を、画像読取装置２０の図略のコンタクトガラスに向けて搬送する。コンタクトガラスに搬送された原稿は、予め定められた読取位置で図略のスキャナーにより読み取られ、その後原稿排出部３２へ排出される。コンタクトガラス及びスキャナーについては後ほど図を参照して説明する。
【００１９】
また、原稿搬送装置３０は、コンタクトガラス２２の主面に対して開閉自在に設けられており、コンタクトガラス２２に載置された原稿を押さえる原稿押さえ部材としての役割も果たす。
【００２０】
図２は、本発明の一実施形態に係る画像読取装置を示す斜視図である。図２に示すように、画像読取装置２０は、箱形のフレーム２１を備えている。フレーム２１の上面２１Ａ、すなわち原稿搬送装置３０が閉じられた状態で原稿搬送装置３０に対向する面には開口が設けられており、当該開口にコンタクトガラス２２が装着されている。
【００２１】
コンタクトガラス２２の原稿が載置される上面とは反対側の下面側には、副走査方向（主走査方向に直交する方向）、すなわち図中のＸ方向に往復移動して、コンタクトガラス２２に載置された読取対象の原稿を読み取るスキャナーが設けられている。
【００２２】
図３は、スキャナー４０を示す斜視図である。スキャナー４０は、主走査方向、すなわち図中のＹ方向に延びたキャリッジ４１を備える。キャリッジ４１には、画像読取装置２０のフレーム２１の内部に設けられた図略のレールに跨座する溝部４２が設けられている。当該レールは、フレーム２１内部において副走査方向に延びており、キャリッジ４１は、モーターやギアからなる不図示の駆動部により、溝部４２が当該レールに跨座した状態で当該レールに沿って副走査方向に往復移動する。
【００２３】
キャリッジ４１は、主走査方向に延びた読取機構４３を有する。読取機構４３は、赤色ＬＥＤ、緑色ＬＥＤ、青色ＬＥＤの複数のＬＥＤ等から構成された図略の発光部と、ＣＭＯＳ（Complementary Metal Oxide Semiconductor）イメージセンサー等の受光部から構成されている。読取機構４３は、発光部により、赤、緑、青の３色の光を切り替えながら
読取対象の原稿に向けて光を照射するとともに、受光部により原稿で反射された反射光を受光する。受光部は、受光した光を電気信号へ変換して、主走査方向の１ライン分の画像データを取得する。
【００２４】
読取機構４３は、フレキシブルフラットケーブル（以下、ＦＦＣと称する。）４４を介して画像読み取り動作を制御する図略の制御部と電気的に接続されている。制御部は、ＣＰＵ(Central Processing Unit)、ＲＡＭ（Random Access Memory）、及びＲＯＭ（Read Only Memory）等から構成される制御ユニットや、アナログ／デジタル変換回路等のハード回路等を含む。読取機構４３が取得した画像データは、ＦＦＣ４４を介して伝達され、制御部で、デジタル信号化、シェーディング補正、ガンマ補正、色収差補正、ＭＴＦ（Modulation Transfer Function）補正及びスキャナー色補正等の様々な画像処理が施される。そして、当該画像処理により生成された画像データは、図略の内蔵の画像メモリーやＨＤＤ等の記憶部に記憶される。
【００２５】
なお、ＦＦＣ４４は、上記の画像データだけでなく、キャリッジ４１を駆動させる電力や読取機構４３の画像読み取り動作を制御する制御信号等を伝達する。
【００２６】
ＦＦＣ４４は、一定間隔で並べた複数の導線を樹脂皮膜で覆ったリボン状のケーブルである。ＦＦＣ４４は、変形した場合にも電気的特性を維持できるという特性があり、往復移動するキャリッジ４１に接続するケーブルとして好適である。ＦＦＣ４４の一端にはキャリッジ４１の一側面に設けられた主走査方向に延びるケーブル口に嵌まるソケットが設けられ、他端には制御部に設けられた図略のピンヘッダーに嵌まるソケットが設けられている。このため、ＦＦＣ４４は、キャリッジ４１の一側面に接続された箇所から先の部分がＵ字状に湾曲してキャリッジ４１の下方へ回り込むような状態でフレーム２１内に配設されている。
【００２７】
すなわち、ＦＦＣ４４は、キャリッジ４１の一側面に一端部が接続されている。そして、ＦＦＣ４４は、当該一端部を起点としてキャリッジ４１から離れる方向に延びてＵ字状に湾曲して方向を反転させて前記キャリッジの下方へ回り込む状態で延びる。更に、ＦＦＣ４４は、上記Ｕ字状に湾曲する位置とはキャリッジ４１を挟んで反対側となる位置で折りたたまれた状態で更に方向を反転させて、他端部が上記制御部に接続されている。
【００２８】
画像読取装置２０のフレーム２１内部にＦＦＣ４４の他端をフレーム２１に固定する図略の固定部が設けられている。固定部は、例えばクリップホルダであり、クリップホルダの爪間に挿通されたＦＦＣ４４を下方に押圧する。これにより、ＦＦＣ４４は、そのフラット面がフレーム２１の内側底面と接した状態でフレーム２１に固定される。
【００２９】
図４は、キャリッジ４１の一端部の拡大斜視図である。図４に示すように、キャリッジ４１において、読取機構４３の延在方向すなわち主走査方向の両端部に、コンタクトガラス２２と接触する樹脂製のスライダー４５が凸設されている。
【００３０】
図５は、キャリッジ４１、ＦＦＣ４４、及びコンタクトガラス２２の断面図である。キャリッジ４１が副走査方向に往復移動する際、スライダー４５の上方向、すなわち図中のＺ方向の先端部がコンタクトガラス２２の下面２２Ａに接触してスライダー４５はコンタクトガラス２２の下面２２Ａを摺動する。これにより、コンタクトガラス２２の下面２２Ａから読取機構４３までの読取距離が常に一定に保たれるようになっている。
【００３１】
このように、スライダー４５はコンタクトガラス２２の下面２２Ａを摺動するため、画像読取動作を繰り返すに従ってスライダー４５の表面が摩耗する。その結果、スライダー４５とコンタクトガラス２２の下面２２Ａとの摩擦係数が増大し、キャリッジ４１の移動に伴ってスライダー４５とコンタクトガラス２２の下面２２Ａとの接触部から異音が発生することがある。
【００３２】
また、キャリッジ４１が副走査方向、具体的には図中のＸ軸正方向へ移動するにつれ、ＦＦＣ４４の略Ｕ字状の湾曲部４４Ａが大きな円弧を描いて上方、すなわち図中のＺ方向に膨らんでコンタクトガラス２２の下面２２Ａに接触し、コンタクトガラス２２が汚れるおそれがある。
【００３３】
（フッ素コーティング）
【００３４】
そこで、本発明の一実施形態に係る画像読取装置２０では、コンタクトガラス２２の下面２２Ａにフッ素コーティングを施している。これにより、スライダー４５とコンタクトガラス２２との摩擦係数を良好に保ち、また、ＦＦＣ４４の接触によるコンタクトガラス２２の汚れ付着を防止する。
【００３５】
図６は、フッ素コーティングが施されたコンタクトガラス２２の平面図である。図６に示すように、コンタクトガラス２２の下面２２Ａにフッ素コーティング２２Ｂが施されている。なお、コンタクトガラス２２へのフッ素コーティング処理は、コンタクトガラス２２の下面２２Ａのプラズマ処理を行った後に行うことができる。
【００３６】
このように、コンタクトガラス２２の下面２２Ａにフッ素コーティング２２Ｂを施すことでコンタクトガラス２２の下面２２Ａの摩擦係数が非常に低くなるため、スライダー４５とコンタクトガラス２２との摩擦係数を低くすることができ、スライダー４５とコンタクトガラス２２の下面２２Ａとの接触部から異音の発生を抑制することができる。
【００３７】
また、コンタクトガラス２２の下面２２Ａにフッ素コーティング２２Ｂを施すことで、ＦＦＣ４４の湾曲部４４Ａがコンタクトガラス２２の下面２２Ａに接触してもコンタクトガラス２２の下面２２Ａに汚れがつきにくくなる。
【００３８】
なお、コンタクトガラス２２の下面２２Ａ全面にフッ素コーティングを施す必要はなく、図６に示したように、コンタクトガラス２２の下面２２Ａにおいてスライダー４５及びＦＦＣ４４が接触する領域にのみ副走査方向に延びる帯状にフッ素コーティングが施されていればよい。これにより、フッ素コーティングに係るコストを抑制することができる。
【００３９】
（ケーブルガイドユニット）
【００４０】
ＦＦＣ４４とコンタクトガラス２２との接触を防止するためにケーブルガイドユニットを設けてもよい。以下、画像読取装置２０にケーブルガイドユニットを設けた例について説明する。
【００４１】
図７は、一例に係るケーブルガイドユニット５０、キャリッジ４１、ＦＦＣ４４、及びコンタクトガラス２２の断面図である。一例に係るケーブルガイドユニット５０は、キャリッジ４１よりも遅い速度でキャリッジ４１に追従して副走査方向に往復移動しながら、キャリッジ４１の移動に伴って移動するＦＦＣ４４の湾曲部４４Ａをガイドする。特に、ケーブルガイドユニット５０は、主走査方向、すなわち図中のＹ方向に延びるスリット５０Ａを有しており、ＦＦＣ４４の湾曲部４４Ａが当該スリット５０Ａに挿通されている。これにより、キャリッジ４１が副走査方向、具体的には図中のＸ軸正方向へ移動するときに、ＦＦＣ４４の湾曲部４４Ａが大きな円弧を描いて上方、すなわち図中のＺ方向に膨らむことを抑制し、ＦＦＣ４４がコンタクトガラス２２の下面２２Ａに接触してコンタクトガラス２２が汚れるのを防止することができる。
【００４２】
図８は、別例に係るケーブルガイドユニット５０、キャリッジ４１、ＦＦＣ４４、及びコンタクトガラス２２の断面図である。別例に係るケーブルガイドユニット５０は、ＦＦＣ４４の湾曲部４４Ａとコンタクトガラス２２との間に介在する。これにより、ＦＦＣ４４がコンタクトガラス２２に接触することを防止して、ＦＦＣ４４との接触によるコンタクトガラス２２の汚れをなくすことができる。
【００４３】
図９Ａは、キャリッジ４１及びケーブルガイドユニット５０がホームポジションにあるときの画像読取装置２０内部の平面図である。図９Ｂは、キャリッジ４１及びケーブルガイドユニット５０が移動中の画像読取装置２０内部の平面図である。
【００４４】
キャリッジ４１及びケーブルガイドユニット５０は、副走査方向の始点と終点との間を無端走行するタイミングベルト６１により駆動されて副走査方向に往復運動する。キャリッジ４１がホームポジションにあるとき、ケーブルガイドユニット５０はキャリッジ４１のすぐ隣りに位置する。キャリッジ４１がタイミングベルト６１により駆動されて副走査方向、具体的には図中のＸ軸正方向へ移動を開始すると、ケーブルガイドユニット５０は、キャリッジ４１よりも遅い速度でキャリッジ４１に追従して副走査方向に移動する。すなわち、キャリッジ４１が距離Ａだけ移動すると、ケーブルガイドユニット５０はそれよりも短い距離Ｂだけ移動する。
【００４５】
キャリッジ４１はタイミングベルト６１に固設されており、タイミングベルト６１の移動に合わせて副走査方向に移動する。一方、ケーブルガイドユニット５０が同じタイミングベルト６１で駆動されてキャリッジ４１よりも遅い速度で移動するために、ケーブルガイドユニット５０にギア機構が設けられている。
【００４６】
図１０Ａは、ギア機構５１を備えたケーブルガイドユニット５０の副走査方向から見た側面図である。図１０Ｂは、図１０Ａのケーブルガイドユニット５０の底面図である。タイミングベルト６１は、内周及び外周に異なる歯数の歯を備えている。例えば、タイミングベルト６１の外周の歯６１Ａの歯数に対して内周の歯６１Ｂの歯数を半分にする。ケーブルガイドユニット５０のギア機構５１は複数のギアから構成され、タイミングベルト６１の外周の歯６１Ａ及び内周の歯６１Ｂに噛合する。このような構成により、ケーブルガイドユニット５０は、タイミングベルト６１の走行速度の半分の速度、すなわち、キャリッジ４１の移動速度の半分の速度で移動させることができる。
【００４７】
なお、ＦＦＣ４４の湾曲部４４Ａの先端位置、すなわちＦＦＣ４４の折り返し先端部分は、キャリッジ４１の移動速度の半分の速度で移動する。そのため、上記のようにケーブルガイドユニット５０の移動速度をキャリッジ４１の移動速度の半分にすることで、ＦＦＣ４４の湾曲部４４Ａの先端位置の移動にぴったり合わせてケーブルガイドユニット５０を移動させることができる。こうすることで、図７に例示した構造では、ケーブルガイドユニット５０がＦＦＣ４４を引っ張ったり押したりすることなく、すなわちＦＦＣ４４に負荷をかけずにＦＦＣ４４をガイドすることができる。また、図８に例示した構造では、ケーブルガイドユニット５０を最小の大きさにすることができる。
【００４８】
ケーブルガイドユニット５０をキャリッジ４１よりも遅い速度でキャリッジ４１に追従させる別の手段として、ケーブルガイドユニット５０を別のタイミングベルトで駆動するようにしてもよい。
【００４９】
図１１は、キャリッジ４１及びケーブルガイドユニット５０をそれぞれ往復移動させる２つのタイミングベルトを備えた画像読取装置２０内部の平面図である。図１１に示すように、キャリッジ４１を副走査方向に往復移動させるタイミングベルト６１とは別に、ケーブルガイドユニット５０を副走査方向に往復移動させるタイミングベルト６２を設ける。タイミングベルト６２は、３つのプーリーに張架され、副走査方向の始点と副走査方向の中間点との間を無端走行する。
【００５０】
タイミングベルト６１，６２は共通のモーターにより駆動される。図１２は、図１１の２つのタイミングベルト６１，６２とモーター７０との連結部分を示す図である。モーター７０の回転軸７１には外径の大きな歯付きプーリー７２Ａと外径の小さな歯付きプーリー７２Ｂとが固定されている。タイミングベルト６１は歯付きプーリー７２Ａに噛合し、タイミングベルト６２は歯付きプーリー７２Ｂに噛合している。これにより、１つのモーター７０で２つのタイミングベルト６１，６２を駆動することができる。
【００５１】
更に、歯付きプーリー７２Ａ，７２Ｂの外径比を２：１にすることで、タイミングベルト６２の走行速度をタイミングベルト６１の走行速度の半分にすることができる。これにより、図７に例示した構造では、ケーブルガイドユニット５０がＦＦＣ４４を引っ張ったり押したりすることなく、すなわちＦＦＣ４４に負荷をかけずにＦＦＣ４４をガイドすることができる。また、図８に例示した構造では、ケーブルガイドユニット５０を最小の大きさにすることができる。
【００５２】
このように、２つのタイミングベルト６１，６２を設け、これらを共通のモーター７０で駆動することで、キャリッジ４１がタイミングベルト６１により駆動されて副走査方向、具体的には図中のＸ軸正方向へ移動を開始すると、ケーブルガイドユニット５０がタイミングベルト６２により駆動されて、キャリッジ４１よりも遅い速度でキャリッジ４１に追従して副走査方向に移動する。すなわち、キャリッジ４１が距離Ａだけ移動すると、ケーブルガイドユニット５０はそれよりも短い距離Ｂだけ移動する。
【００５３】
以上のように、本実施形態によれば、画像読取装置２０においてコンタクトガラス２２の下面２２Ａにフッ素コーティング２２Ｂを施すことにより、ＦＦＣ４４がコンタクトガラスに接触することによるコンタクトガラス２２の汚れの発生、及びコンタクトガラス２２の下面２２Ａを摺動するスライダー４５の摩耗によるスライダー４５とコンタクトガラス２２の下面２２Ａとの接触部からの異音の発生を防止することができる。また、ケーブルガイドユニット５０を設けることにより、ＦＦＣ４４がコンタクトガラス２２に接触するのを防ぐことができる。
【００５４】
なお、本発明は上記実施の形態の構成に限られず種々の変形が可能である。例えば、上記の実施形態では、ＦＦＣ４４とコンタクトガラス２２との接触を防止するのにケーブルガイドユニット５０を設けたが、これに代えて、キャリッジ４１の移動に伴って移動するＦＦＣ４４の湾曲部４４Ａを内側から引っ掛けて湾曲部４４Ａをその湾曲方向へ引っ張るテンション部材を設けるようにしてもよい。
【００５５】
また、図１乃至図１２を用いて上記実施形態により示した構成は、本発明の一実施形態に過ぎず、本発明を当該構成に限定する趣旨ではない。
【符号の説明】
【００５６】
２０      画像読取装置
２１      フレーム
２２      コンタクトガラス
２２Ａ    下面
２２Ｂ    フッ素コーティング
４１      キャリッジ
４３      読取機構
４４      フレキシブルフラットケーブル（ＦＦＣ）
４４Ａ    湾曲部
４５      スライダー
５０      ケーブルガイドユニット
５０Ａ    スリット
５１      ギア機構
６１      タイミングベルト（第１のタイミングベルト）
６２      タイミングベルト（第２のタイミングベルト）
７０      モーター
７１      回転軸
７２Ａ    歯付きプーリー（第１の歯付きプーリー）
７２Ｂ    歯付きプーリー（第２の歯付きプーリー）
【図１】
0006597591.tif 000002
【図２】
0006597591.tif 000003
【図３】
0006597591.tif 000004
【図４】
0006597591.tif 000005
【図５】
0006597591.tif 000006
【図６】
0006597591.tif 000007
【図７】
0006597591.tif 000008
【図８】
0006597591.tif 000009
【図９Ａ】
0006597591.tif 000010
【図９Ｂ】
0006597591.tif 000011
【図１０Ａ】
0006597591.tif 000012
【図１０Ｂ】
0006597591.tif 000013
【図１１】
0006597591.tif 000014
【図１２】
0006597591.tif 000015